(57)【特許請求の範囲】
【請求項１】
少なくとも３つの回転板を筺体の表示窓と補助表示窓の背後に設けたスロットマシンであり、
前記各回転板は、その回転中心をずらして配置され、
各回転体の表面の周縁に沿った部分には、前記表示窓から回転体の回転に従って順次表示される目視可能な複数の図柄を備え、
各回転板の表面の中央部分には、前記補助表示窓から回転体の回転に従って回転する目視可能な補助図柄を備えており、
前記回転板の互いに重なり合わない部分を前記表示窓から覗かせるとともに、その中央部分を前記補助表示窓から覗かせるものであり、
前記表示窓は、前記各回転板に対してそれぞれ上下方向に２カ所設けられ、前記補助表示窓は、各回転体の中央部分に対して設けられており、前記表示窓と補助表示窓の配列によって入賞ラインが形成され、前記補助表示窓に表示される補助図柄は、前記回転体の回転によって方向性の変化を認識させることが可能な図柄であり、補助図柄の示す方向と入賞ラインとの一致または不一致が表示可能であることを特徴とするスロットマシン。
【請求項２】
前記補助図柄は矢印であり、この補助図柄の示す方向が、斜め方向に形成された入賞ラインと一致したときに入賞とされる請求項１に記載のスロットマシン。
【発明の詳細な説明】
【０００１】
【発明の属する技術分野】
本発明は、スロットマシンに関し、より詳細にはスロットマシンのリール装置に関する。
【０００２】
【従来の技術】
スロットマシンは、一般的な遊技装置として多くの人々に親しまれている。このスロットマシンのリール装置には、従来、外周面に複数の図柄が設けられた３乃至４の回転リールが採用されている。詳しくは、各回転リールがスロットマシンに対して垂直且つ各回転リールの回転軸が共通の横軸線上に設けられるように配置されている。そして、その回転リールの図柄をスロットマシン内に覗き見ることができる表示窓にて遊技者は図柄を合わせ遊技を楽しんでいた。
【０００３】
【発明が解決しようとする課題】
ところで、スロットマシン等の遊技機が設置される遊技場では、遊技者がより楽しく遊技を行えるようにその環境づくりに励んでいる。例えば、遊技場に対する遊技機の占有スペースを減らし開放的な室内空間を演出するといった努力がなされている。
【０００４】
しかしながら、従来のスロットマシンは上記したように、所要の直径を有する筒状に形成された回転リールを内部に有するため、少なくともその回転リールの直径に見合った奥行きを必要としていた。このためスロットマシンは他の遊技機、例えばパチンコ台などの遊技機に比べて奥行きが大きくなり、スロットマシンの普及の妨げにもなっていた。
【０００５】
なお、仮に、回転リールを小径化してスロットマシンの小型化を図ったとしても、回転リールの外周面に設けられる図柄が密集し視認性が損なわれる。また、回転リールに設けられる図柄の視認性を確保するためには図柄の数を減らすなどの対応が必要となりスロットマシンの興味を損なう恐れもあった。このためスロットマシンの小型化には自ずと限界が生じ、スロットマシンの新規機種を開発するにあたっては、スロットマシンの興味を損なうことなく小型化を図るといった困難な作業が必要とされていた。
【０００６】
また、従来のスロットマシンは上記要因に絡み大柄であり、その重量も他の遊技機に比べ重いものとなっていた。このため遊技場にスロットマシンを設置するには設置場所となる壁面の補強、また取付け金具等に頑丈な金具を用いるなどの対策が必要となり、設置に係るコストも他の遊技機に比べて割高になっていた。
【０００７】
よって本発明は前記事項を考慮してなされたもので、遊技者の興味を損なうことなく小型化を図れるスロットマシンを提供することを課題とする。また、軽量化を図れるスロットマシンを提供することを課題とする。
【０００８】
本発明は、少なくとも３つの回転板を筺体の表示窓と補助表示窓の背後に設けたスロットマシンであり、前記各回転板は、その回転中心をずらして配置され、各回転体の表面の周縁に沿った部分には、前記表示窓から回転体の回転に従って順次表示される目視可能な複数の図柄を備え、各回転板の表面の中央部分には、前記補助表示窓から回転体の回転に従って回転する目視可能な補助図柄を備えており、前記回転板の互いに重なり合わない部分を前記表示窓から覗かせるとともに、その中央部分を前記補助表示窓から覗かせるものであり、前記表示窓は、前記各回転板に対してそれぞれ上下方向に２カ所設けられ、前記補助表示窓は、各回転体の中央部分に対して設けられており、前記表示窓と補助表示窓の配列によって入賞ラインが形成され、前記補助表示窓に表示される補助図柄は、前記回転体の回転によって方向性の変化を認識させることが可能な図柄であり、補助図柄の示す方向と入賞ラインとの一致または不一致が表示可能であることを特徴とする。
【０００９】
また、前記補助図柄は矢印であり、この補助図柄の示す方向が、斜め方向に形成された入賞ラインと一致したときに入賞とされるようにすることができる。このため、補助表示窓内に表示される補助図柄により、斜め方向の入賞ラインLが付加的に決定される。
【００１１】
【発明の実施の形態】
以下、本発明の一実施例を図面に基づいて説明する。
まず、本実施の形態に示すスロットマシンの概略を図２を参照して説明する。
本実施の形態に示すスロットマシンは、スロットマシン本体を構成する筺体１と、その筺体１内に設けられ表面に複数の図柄２２が付された回転板２１を複数備えるリール装置２と、そのリール装置２の下方に設けられ内部にコインを収容可能なコイン収容ホッパ３と、リール装置２及びコイン収容ホッパ３を制御する制御装置４と、を有する。
【００１２】
また、筺体１の前面パネル５中段には、リール装置２に設けられた回転板２１の図柄２２を筺体１内に覗き見ることができる複数の表示窓６と、リール装置２を作動させるスタートレバー７と、リール装置２を停止させるストップボタン８と、遊技に必要なコインを投入するコイン投入スロット９とを有し、さらに前面パネル５の下段にはコイン収容ホッパ３から排出されたコインを収容するコイン受皿１０が設けられている。以下、これらの構成を有するスロットマシンを詳細に説明する。
【００１３】
スロットマシンの本体を構成する筺体１は直方体状に形成されており、その筺体１の背面パネル１１中段に筺体１内に突設された棚板１２が設けられている。そして、その棚板１２上にリール装置２が螺子にて固定されている。
【００１４】
この棚板１２上に設けられるリール装置２は、回転板２１及び電動モータ２３からなる回転板ユニット２０を３体備えて構成されている。回転板ユニット２０は、図５〜図７に示すように厚さ１．６ｍｍ程のアルミ板を円形に加工して製作した回転板２１と、その回転板２１の中央を支持して回転板２１を回転させる電動モータ２３と、その電動モータ２３を棚板１２上に固定するステー２４と、そのステー２４に設けられた螺子挿通孔２５と、を有し、各回転板ユニット２０は、回転板２１が前面パネル５の内面側に沿うよう各々同一方向を向いた状態で棚板１２上に固定されている。
【００１５】
より詳しくは、図３に示すように各回転板ユニット２０が回転板２１を正面側に向けて棚板１２上に互い違いに設けられるとともに、各回転板ユニット２０に設けられる電動モータ２３の回転軸２９が、隣接した他の回転板ユニット２０の回転板２１と互いに干渉しない範囲にて横方向に密集して設けられている。このように各回転板２１は互いにその一部が重なり合って配置される。また、図４に示すよう各回転板ユニット２０を棚板１２に対して若干斜めに配置して各回転板２１の一側方側が互いに重なり合った状態となるように設けることもできる。
【００１６】
なお、回転板ユニット２０のステー２４に設けられる螺子挿通孔２５は、回転板ユニット２０の前後方向に長い長孔に形成されており、回転板ユニット２０を棚板１２上に固定する際には、螺子挿通孔２５にてその固定位置を前後に微調節することができる。このため回転板２１と前面パネル５のクリアランス、及び隣接する各回転板２１同士のクリアランスを適切な量に調節できる。
【００１７】
そして、各回転板２１の重なり合わない部分に対応する筺体１の前面パネル５に表示窓６が設けられ、この表示窓６にて各回転板２１の表面に付された図柄２２を筺体１内に覗き見ることができる。
【００１８】
なお、回転板２１の表面に付される図柄２２には、一般的なスロットマシンの回転リールに採用される「Ｂｉｇ」、「７７７」といった図柄（役物）が採用されており、各図柄２２は回転板２の周縁に沿って設けられている。このため表示窓６に視認可能な図柄２２は、回転板２１の回転に従って表示窓６内に順次進入して表示される。
【００１９】
また、図柄２２が付された回転板２１は、従来の回転リールに比べて極めて軽量であるため、高速での回転が行える他、回転板２１を回転させる電動モータ２３には小型のモータを採用することができる。また、回転板２１の軽量化に伴い回転板２１と電動モータ２３の接続部分２６の取付け構造を簡略化することもできる。本実施の形態では、３本のビス２７を用いて電動モータ２３と回転板２１とを接続している。
【００２０】
続いて、回転板２１の図柄２２が望む表示窓６の配置について図１及び図８〜１２を参照して実施例１〜５を説明する。なお、以下に説明する実施例は、本発明における一実施例であり、表示窓６の配置は以下に説明される実施例に限定されることはない。また、図１及び図８〜１２では、表示窓６と回転板２１との関係の理解の便宜を図るため前面パネル５の一部又は筺体１を省略した状態にて図示している。
【００２１】
＜実施例１＞
実施例１では、図３と同様に各回転板ユニット２０を棚板１２上に互い違いに設けた状態において、図１に示すようにその各回転板２に対して夫々上下に表示窓６を設けている。そして、共通の横線上に位置した表示窓６にて横方向の計２ラインの入賞ラインＬを構成している。なお、図１２に示す表示窓６は、各回転板２１に設けられる表示窓６を互いに連結して一つの大きな表示窓とした実施例１の変形例である。
【００２２】
＜実施例２＞
実施例２では、図４と同様に各回転板ユニット２０を棚板１２上に斜めに設け各回転板２１の一側方側を重ね合わせた状態において、図８に示すようにその各回転板２１に対して夫々上下及び一側方側に表示窓６を設け、前面パネル全体で計９箇所に表示窓６を配置している。この場合、共通の横線上に位置する表示窓６が一つの入賞ラインＬとなり、計３ラインの入賞ラインを得ることができる。
【００２３】
＜実施例３＞
実施例３では、図３と同様に各回転板ユニット２０を棚板１２上に互い違いに設けた状態において、図９に示すようにその各回転板２１に対して夫々上下に表示窓６を設けるとともに中央に位置する回転板２１に対してその回転板２１の中央部分を覗き見ることができるように補助表示窓６ａを設けている。この補助表示窓６ａ内には矢印等の方向性を示す補助図柄２２ａが表示され、共通の横線上に設けられた上下の表示窓６により横方向の入賞ラインＬが構成されるとともに、対角線上に設けられる表示窓６及び補助表示窓６ａにおいて斜め方向の入賞ラインＬが付加的に構成されている。
【００２４】
なお、方向性を示す補助図柄２２ａは、他の図柄２２と同様に回転板２１の表面に付されるが、その位置は回転板２１の中央に付されるため回転板２１の回転に伴い該補助図柄２２ａも補助表示窓２２ａ内で回転する。そして、方向性を示す矢印等の補助図柄２２ａが斜め方向の入賞ラインに一致していれば入賞とする。このため、その補助表示窓２２ａ内に表示される補助図柄２２ａにより、斜め方向の入賞ラインＬが付加的に決定され、計４ラインの入賞ラインＬを得ることができる。
【００２５】
＜実施例４＞
実施例４では、図１０に示すように上下３段横３列に設けられた計９体の回転板ユニット２０を用い、また、その各々に対応させて１つずつ表示窓６を設けている。この場合、縦３つに並んだ回転板ユニット２０の並びを１制御単位として計３つのストップボタン８に対応させた制御を行うと、共通の横線上に位置する表示窓６が１つの入賞ラインＬになり、また対角線上に位置する表示窓６が斜め方向の入賞ラインＬとなり、従来のスロットマシンと同様に計５ラインの入賞ラインＬを得ることができる。すなわち、１つのストップボタン８を押す毎に縦３つに並んだ回転板ユニット２０の停止制御がなされる。なお、ここで停止制御とは、回転板ユニット２０に設けられる回転板２１の回転を停止させようとする動作である。
【００２６】
＜実施例５＞
実施例５では、図１１に示すように実施例４の配置において、各回転板ユニット２０を夫々に１制御単位として計９つのストップボタンに対応させた停止制御を行い、縦横斜めの計８ラインの入賞ラインＬを得ることができる。
【００２７】
このように、本発明のスロットマシンでは、表示窓６の配置及び回転板ユニット２０を増やすことで多種多様な入賞ラインを得ることができる。
【００２８】
そして、遊技者がコイン投入スロット９にコインを投入すると共にスタートレバー７を押し下げると、制御装置４を介してリール装置２に設けられた各回転板ユニット２０に回転板２１を回転させるべく電力が供給され回転板２１が回転を始める。続いて、遊技者が適当なタイミングにてストップボタン８を押すと、制御装置４により各回転板ユニット２０は停止制御されて、各回転板２１はストップボタン８の押された順に停止する。
【００２９】
また、制御装置４は、スタートレバー７が押し下げられたことを受けて内部抽選を行うと共に、表示窓６に望む回転板２１の図柄２２が入賞の組み合わせであるか否かを判断し、当たりの場合にはコイン収容ホッパ３に対して所定枚数のコインをコイン受皿１０に排出するように指示する。そして、コイン収容ホッパ３からコインが排出され遊技者に渡る。なお、ここで内部抽選とは、通常遊技状態から特別遊技状態（大当たり状態）に移行させるための抽選である。
【００３０】
このように本発明のスロットマシンでは、前面パネル５に沿った面内において回転する複数の回転板２１にて告知・演出を行うリール装置２を採用しているため、従来のスロットマシンに比べて奥行きを大幅に減らすことができる。よってスロットマシンの小型化を図ることができる。また、本発明のスロットマシンにおいても複数の入賞ラインＬを得ることができるため、スロットマシンの興味を損なうこともない。
【００３１】
また、本発明のスロットマシンは、薄肉厚の回転板２１を採用するとともに、その回転板２１を回転させる電動モータには、従来のスロットマシンに比べて小型の電動モータを採用することができるためリール装置２を軽量に製作することができる。また、リール装置２の軽量化に伴い、そのリール装置２を支持する棚板１２の肉厚も薄くすることができる。このようにリール装置２のみならず筺体１をも小型に製作することができるため、これらの相乗効果により極めて軽量なスロットマシンを得ることができる。
【００３２】
【発明の効果】
以上のように本発明によれば、遊技者の興味を損なうことなく小型化を図れるスロットマシンを提供することができる。また、軽量化を図れるスロットマシンを提供することができる。
【図面の簡単な説明】
【図１】本発明の実施の形態に係るスロットマシンの正面図。
【図２】本発明の実施の形態に係るスロットマシンの側方から見た一部断面図。
【図３】本発明の実施の形態に係るスロットマシンの上方から見た一部断面図。
【図４】本発明の他の実施の形態に係るスロットマシンの上方から見た一部断面図。
【図５】本発明の実施の形態に係る回転板ユニットを斜め後方から見た斜視図。
【図６】本発明の実施の形態に係る回転板ユニットの上面図。
【図７】本発明の実施の形態に係る回転板ユニットの正面図。
【図８】本発明の実施の形態に係る表示窓の配置の一例を示す。
【図９】本発明の実施の形態に係る表示窓の配置の一例を示す。
【図１０】本発明の実施の形態に係る表示窓の配置の一例を示す。
【図１１】本発明の実施の形態に係る表示窓の配置の一例を示す。
【図１２】本発明の実施の形態に係る表示窓の配置の一例を示す。
【符号の説明】
１  筺体
２  リール装置
３  コイン収容ホッパ
４  制御装置
５  前面パネル
６  表示窓
６ａ    補助表示窓
７  スタートレバー
８  ストップボタン
９  コイン収容スロット
１０  コイン受皿
１１  背面パネル
１２  棚板
２０  回転板ユニット
２１  回転板２１
２２  図柄
２２ａ  補助図柄
２３  電動モータ
２４  ステー
２５  螺子挿通孔
２６  接続部分
２７  ビス
２９  回転軸
Ｌ  入賞ライン
【図１】
0003605342.tif 000002
【図２】
0003605342.tif 000003
【図３】
0003605342.tif 000004
【図４】
0003605342.tif 000005
【図５】
0003605342.tif 000006
【図６】
0003605342.tif 000007
【図７】
0003605342.tif 000008
【図８】
0003605342.tif 000009
【図９】
0003605342.tif 000010
【図１０】
0003605342.tif 000011
【図１１】
0003605342.tif 000012
【図１２】
0003605342.tif 000013